(57)【特許請求の範囲】
【請求項１】
中央に長穴(1aa)が穿設された第一立ち上がり面(1a)と、該第一立ち上がり面(1a)の左右からそれぞれ内側に向けて直角に折曲されていて下方側縁が折板屋根板のハゼ部を挿入させるために切り欠かれている折曲面(1b，1b)と、各折曲面(1b，1b)の下端からそれぞれ外側に向けて直角に折曲されていて折板屋根板のハゼ部の立ち上がり部の下端に続く平面部上に載置される載置部(1c，1c)と、該載置部(1c，1c)の該第一立ち上がり面(1a)と反対側の端縁から上方に向けて直角に折曲されていて該ハゼ部の立ち上がり部を挟持する挟持部(1d，1d)と、該折曲面(1b，1b)の一方の上端から内側に向けて直角に折曲されていてその端部が他方の折曲面(1b)の上面に当接せしめられていて屋外構造物用の取付部材を取り付けるための取付用ボルト(1ea)が垂直に立設された取付面(1e)とから成る第１挟持材(１)と、
該第一立ち上がり面(1a)より僅かに広幅の第二立ち上がり面(2a)と、該第二立ち上がり面(2a)から左右にそれぞれ内側に向けて直角に折曲されていて下方側縁が折板屋根板のハゼ部を挿入させるために切り欠かれている折曲面(2b，2b)と、各折曲面(2b，2b)の下端からそれぞれ外側に向けて直角に折曲されていて折板屋根板のハゼ部の立ち上がり部の下端に続く平面部上に載置される載置部(2c，2c)と、該載置部(2c，2c)の該第二立ち上がり面(2a)と反対側の端縁から上方に向けて直角に折曲されていて該ハゼ部の立ち上がり部を挟持する挟持部(2d，2d)とから成る第２挟持材(２)とから構成されていて、
該第１挟持材(１)の第一立ち上がり面(1a)と該第２挟持材(２)の第二立ち上がり面(2a)とを互いに向かい合わせにして該第１挟持材(１)の左右の折曲面(1b，1b)の外側に該第２挟持材(２)の左右の折曲面(2b，2b)を位置させた状態で、該第１挟持材(１)を該第２挟持材(２)に対して回転自由にするための回転用軸(３)が、該第２挟持材(２)の両折曲面(2b，2b)と該第１挟持材(１)の両折曲面(1b，1b)とを貫通させた状態で設けられていると共に、該回転用軸(３)より下方側で且つ該第１挟持材(１)の折曲面(1b，1b)が存在しない部位の該第２挟持材(２)の折曲面(2b，2b)間に、後端部を該第一立ち上がり面(1a)の長穴(1aa)から突出させてナット(4a)留めされるフックボルト又はアイボルト(4b)の先端部が回転自在に係合された係止用軸(４)が設けられていることを特徴とする折板屋根板用取付金具。
【請求項２】
第１挟持材(１)の各折曲面(1b，1b)の第一立ち上がり面(1a)と反対側の下端(1ba)と、第２挟持材(２)の各折曲面(2b，2b)の第二立ち上がり面(2a)と反対側の下端(2ba)とが、折板屋根板のハゼ部の立ち上がり部を挟持する位置に位置している請求項１に記載の折板屋根板用取付金具。
【発明の詳細な説明】
【技術分野】
【０００１】
本発明は、両端がその山部端部に形成されたハゼ部で固定された折板屋根板の山部上に、太陽電池モジュールや屋上緑化パネル等の屋外構造物を取り付けるための取付部材を更にその上方に装着するための折板屋根板用取付金具に関するものである。
【背景技術】
【０００２】
一般に、山部と谷部とが交互に連続して形成されている折板屋根板では、その隣合う折板屋根板の端部の山部に形成されたハゼ部を係合させて折板屋根が形成される。このような折板屋根板を使用した折板屋根は、主に工場や倉庫等の比較的大型の建築物の屋根部材として多用されており、この折板屋根の屋根上における広大なスペースを有効活用すべく、近年では折板屋根上に太陽電池モジュールや屋上緑化パネル等の屋外構造物が取り付けられることが多い。
【０００３】
このような折板屋根上に太陽電池モジュールや屋上緑化パネル等を取り付けるための取付金具（支持ベース）としては、折板屋根板のはぜ締め構造の首部（ハゼ部の立ち上がり部）を挟持する一対の取付脚と、取付脚に連続する一対の載置壁と、両載置壁に切り欠き形成されて係止壁と係合する係止溝と、両取付脚を引き寄せ固定する第１ボルトと、押え具を締結する第２ボルトを含んで構成されているものがある（例えば，特許文献１  請求項７参照。）。
【０００４】
このような取付金具（支持ベース）としては、１枚の板材を折曲して成形されていて、ボルトで締結することによって、ハゼ部の立ち上がり部を挟持して固定されるものが提案されている（例えば，特許文献１  図４参照。）。
【０００５】
しかしながら、このような１枚の板材を折曲して成形されている取付金具は、ボルト締めによって板材を弾性変形させることによってハゼ部へ装着させるものであり、太陽電池モジュールや屋上緑化パネル等の屋外構造物を取り付けるための取付部材を更にその上方に装着するものであるから十分な強度を要求されるため板材の板厚も厚いものが使用されるので、ボルト締めに非常に大きな力が必要となり、仮留めすることさえも容易ではなく、施工性に大きな問題があった。
【０００６】
このような施工性の問題に対して、折板屋根材の山部に突設されたハゼ部に取り付け固定する折板用取付金具であって、前記ハゼ部を挟持固定する一対の挟持板を有する金具本体は、前記一対の挟持板のうちの一方の挟持板を一端側に垂設した第一部材と、前記一対の挟持板のうちの他方の挟持板を一端側に垂設して前記一方の挟持板と対向状態に配設した第二部材とから成り、前記双方の挟持板が接離方向にスライド自在となるように前記第一部材と第二部材とをスライド自在に連結した構成とし、前記第一部材の挟持板と反対側には締付ネジが水平方向に螺入する螺合部を有する垂下部を垂設し、前記第二部材の挟持板の近接位置にして前記第一部材の垂下部より外側位置には、この垂下部の螺合部と連通し前記締付ネジが挿通可能にしてこの締付ネジのネジ頭は挿通不能な挿通孔を有する垂下部を垂設した構成とし、この金具本体を前記ハゼ部の上部に配設して前記挿通孔から挿通し前記螺合部に螺合した締付ネジを螺入方向に螺動操作することで、前記一対の挟持板が近接方向にスライドして前記ハゼを締付挟持固定するように構成したことを特徴とする折板用取付金具がある（例えば，特許文献２参照。）。
【０００７】
この折板用取付金具は、スライド自在な第一部材と第二部材とから構成されているので、大きくスライドさせて第一部材と第二部材との間を開いた状態にするだけで、容易にハゼ部に取り付けることができ、また第一部材と第二部材とは、第一部材の挿通孔から挿入された締付ネジを第二部材の螺合部に螺合させることよってハゼを締付挟持固定する構造であるので、特許文献１の取付金具のように一つの部材を大きく変形させる必要はないため大きな力を必要としない。
【０００８】
しかしながら、第一部材と第二部材とは、第一部材の案内部に第二部材の天板材を嵌合させてスライドさせる構造となっているから（特許文献２  請求項５）、これらの嵌め合い等が僅かにでも悪いと、スライドさせる際に非常に大きな力が必要となる。また、この折板用取付金具では、第二部材の挿通孔から挿入された締付ネジを第一部材の螺合部に螺合させることよって第一部材と第二部材とが固定されるが、第一部材と第二部材とが別部材であるから、それぞれに形成された螺合部と挿通孔との位置関係が正確でないと、一本の締付ネジで第一部材と第二部材とを固定することはできないのである。従ってこの折板用取付金具では、スライド部の部材や締付ネジ用の孔等に高い加工精度が要求され、加工精度に多少でも問題がある場合には、施工性に大きな問題が生じ易いという欠点があるのである。
【先行技術文献】
【特許文献】
【０００９】
【特許文献１】特開２００９−２１３８号公報（請求項７）
【特許文献２】特開２００６−３２２２２７号公報
【発明の概要】
【発明が解決しようとする課題】
【００１０】
本発明は前記の問題に鑑み、ハゼ部の立ち上がり部への取り付け・固定などが容易で、また高い加工精度を必要としない折板屋根板用取付金具を提供することを課題とする。
【課題を解決するための手段】
【００１１】
本発明者らは前記課題を解決すべく鋭意研究の結果、折板屋根板用取付金具を、中央に長穴が穿設された第一立ち上がり面と、第一立ち上がり面の左右からそれぞれ内側に向けて直角に折曲されていて下方側縁が折板屋根板のハゼ部を挿入させるために切り欠かれている折曲面と、各折曲面の下端からそれぞれ外側に向けて直角に折曲されていて折板屋根板のハゼ部の立ち上がり部の下端に続く平面部上に載置される載置部と、載置部の第一立ち上がり面と反対側の端縁から上方に向けて直角に折曲されていてハゼ部の立ち上がり部を挟持する挟持部と、折曲面の一方の上端から内側に向けて直角に折曲されていてその端部が他方の折曲面の上面に当接せしめられていて屋外構造物用の取付部材を取り付けるための取付用ボルトが垂直に立設された取付面とから成る第１挟持材と、第一立ち上がり面より僅かに広幅の第二立ち上がり面と、第二立ち上がり面から左右にそれぞれ内側に向けて直角に折曲されていて下方側縁が折板屋根板のハゼ部を挿入させるために切り欠かれている折曲面と、各折曲面の下端からそれぞれ外側に向けて直角に折曲されていて折板屋根板のハゼ部の立ち上がり部の下端に続く平面部上に載置される載置部と、載置部の第二立ち上がり面と反対側の端縁から上方に向けて直角に折曲されていてハゼ部の立ち上がり部を挟持する挟持部とから成る第２挟持材とから構成させ、第１挟持材の第一立ち上がり面と第２挟持材の第二立ち上がり面とを互いに向かい合わせにして第１挟持材の左右の折曲面の外側に第２挟持材の左右の折曲面を位置させた状態で、第１挟持材を第２挟持材に対して回転自由にするための回転用軸を、第２挟持材の両折曲面と第１挟持材の両折曲面とを貫通させた状態で設ければ、スライド式とは異なり、回転用軸によって第１挟持材を第２挟持材に対して回転できるようにしただけであるから、第１挟持材と第２挟持材とを簡単に開いた状態にしてハゼ部に取り付けることができ、また、回転用軸より下方側で且つ第１挟持材の折曲面が存在しない部位の第２挟持材の折曲面間に、後端部を第一立ち上がり面の長穴から突出させてナット留めされるフックボルト又はアイボルトの先端部が回転自在に係合された係止用軸を設ければ、フックボルト又はアイボルトの先端部は係止用軸を介して第２挟持材に係止されているので、第１挟持材の長穴から突出させた後端部をナット留めするだけで容易に第１挟持材と第２挟持材とをハゼ部に固定することができ、従来のように高い加工精度で２つの部材に孔を設け一本のねじを螺入して固定するような必要がなく、製造及び施工が容易にできることを究明して本発明を完成したのである。
【００１２】
即ち本発明は、中央に長穴が穿設された第一立ち上がり面と、第一立ち上がり面の左右からそれぞれ内側に向けて直角に折曲されていて下方側縁が折板屋根板のハゼ部を挿入させるために切り欠かれている折曲面と、各折曲面の下端からそれぞれ外側に向けて直角に折曲されていて折板屋根板のハゼ部の立ち上がり部の下端に続く平面部上に載置される載置部と、載置部の第一立ち上がり面と反対側の端縁から上方に向けて直角に折曲されていてハゼ部の立ち上がり部を挟持する挟持部と、折曲面の一方の上端から内側に向けて直角に折曲されていてその端部が他方の折曲面の上面に当接せしめられていて屋外構造物用の取付部材を取り付けるための取付用ボルトが垂直に立設された取付面とから成る第１挟持材と、
第一立ち上がり面より僅かに広幅の第二立ち上がり面と、第二立ち上がり面から左右にそれぞれ内側に向けて直角に折曲されていて下方側縁が折板屋根板のハゼ部を挿入させるために切り欠かれている折曲面と、各折曲面の下端からそれぞれ外側に向けて直角に折曲されていて折板屋根板のハゼ部の立ち上がり部の下端に続く平面部上に載置される載置部と、載置部の第二立ち上がり面と反対側の端縁から上方に向けて直角に折曲されていてハゼ部の立ち上がり部を挟持する挟持部とから成る第２挟持材とから構成されていて、
第１挟持材の第一立ち上がり面と第２挟持材の第二立ち上がり面とを互いに向かい合わせにして第１挟持材の左右の折曲面の外側に第２挟持材の左右の折曲面を位置させた状態で、第１挟持材を第２挟持材に対して回転自由にするための回転用軸が、第２挟持材の両折曲面と第１挟持材の両折曲面とを貫通させた状態で設けられていると共に、回転用軸より下方側で且つ第１挟持材の折曲面が存在しない部位の第２挟持材の折曲面間に、後端部を第一立ち上がり面の長穴から突出させてナット留めされるフックボルト又はアイボルトの先端部が回転自在に係合された係止用軸が設けられていることを特徴とする折板屋根板用取付金具である。
【００１３】
また第１挟持材の各折曲面の第一立ち上がり面と反対側の下端と、第２挟持材の各折曲面の第二立ち上がり面と反対側の下端とが、折板屋根板のハゼ部の立ち上がり部を挟持する位置に位置していれば、折板屋根板のハゼ部の立ち上がり部を強固に挟持できて好ましいのである。
【発明の効果】
【００１４】
本発明に係る折板屋根板用取付金具は、中央に長穴が穿設された第一立ち上がり面と、第一立ち上がり面の左右からそれぞれ内側に向けて直角に折曲されていて下方側縁が折板屋根板のハゼ部を挿入させるために切り欠かれている折曲面と、各折曲面の下端からそれぞれ外側に向けて直角に折曲されていて折板屋根板のハゼ部の立ち上がり部の下端に続く平面部上に載置される載置部と、載置部の第一立ち上がり面と反対側の端縁から上方に向けて直角に折曲されていてハゼ部の立ち上がり部を挟持する挟持部と、折曲面の一方の上端から内側に向けて直角に折曲されていてその端部が他方の折曲面の上面に当接せしめられていて屋外構造物用の取付部材を取り付けるための取付用ボルトが垂直に立設された取付面とから成る第１挟持材と、第一立ち上がり面より僅かに広幅の第二立ち上がり面と、第二立ち上がり面から左右にそれぞれ内側に向けて直角に折曲されていて下方側縁が折板屋根板のハゼ部を挿入させるために切り欠かれている折曲面と、各折曲面の下端からそれぞれ外側に向けて直角に折曲されていて折板屋根板のハゼ部の立ち上がり部の下端に続く平面部上に載置される載置部と、載置部の第二立ち上がり面と反対側の端縁から上方に向けて直角に折曲されていてハゼ部の立ち上がり部を挟持する挟持部とから成る第２挟持材とから構成されていて、第１挟持材の第一立ち上がり面と第２挟持材の第二立ち上がり面とを互いに向かい合わせにして第１挟持材の左右の折曲面の外側に第２挟持材の左右の折曲面を位置させた状態で、第１挟持材を第２挟持材に対して回転自由にするための回転用軸が、第２挟持材の両折曲面と第１挟持材の両折曲面とに貫通させた状態で設けられているから、スライド式とは異なり、回転用軸によって第１挟持材を第２挟持材に対して回転できるようにしたから、第１挟持材と第２挟持材とを簡単に開いた状態にしてハゼ部に取り付けることができ、また回転用軸より下方側で且つ第１挟持材の折曲面が存在しない部位の第２挟持材の折曲面間に、後端部を第一立ち上がり面の長穴から突出させてナット留めされるフックボルト又はアイボルトの先端部が回転自在に係合された係止用軸が設けられているから、フックボルト又はアイボルトの先端部は係止用軸を介して第２挟持材に係止されているので、第１挟持材の長穴から突出させた後端部をナット留めするだけで容易に第１挟持材と第２挟持材とをハゼ部に固定することができ、従来のように高い加工精度で２つの部材に孔を設け一本のねじを螺入して固定するような必要がなく、製造及び施工が容易にできるのである。
【００１５】
また第１挟持材の各折曲面の第一立ち上がり面と反対側の下端と、第２挟持材の各折曲面の第二立ち上がり面と反対側の下端とが、折板屋根板のハゼ部の立ち上がり部を挟持する位置に位置している場合には、折板屋根板のハゼ部の立ち上がり部を強固に挟持できて好ましいのである
【図面の簡単な説明】
【００１６】
【図１】本発明に係る折板屋根板用取付金具の一実施例を折板屋根板のハゼ部に取り付ける様子を示す正面図である。
【図２】図１の折板屋根板用取付金具が折板屋根板のハゼ部に取り付けられた様子を示す正面図である。
【図３】図１の折板屋根板用取付金具の底面図である。
【図４】図１の第１挟持材のみを示す右側面図である。
【図５】図１の第２挟持材のみを示す左側面図である。
【発明を実施するための形態】
【００１７】
以下、図面を用いて本発明に係る折板屋根板用取付金具について詳細に説明する。
【００１８】
図面中、１は中央に長穴1aaが穿設された第一立ち上がり面1aと、この第一立ち上がり面1aの左右からそれぞれ内側に向けて直角に折曲されていて下方側縁が折板屋根板のハゼ部を挿入させるために切り欠かれている折曲面1b，1bと、各折曲面1b，1bの下端からそれぞれ外側に向けて直角に折曲されていて折板屋根板のハゼ部の立ち上がり部の下端に続く平面部上に載置される載置部1c，1cと、この載置部1c，1cの第一立ち上がり面1aと反対側の端縁から上方に向けて直角に折曲されていてハゼ部の立ち上がり部を挟持する挟持部1d，1dと、折曲面1b，1bの一方の上端から内側に向けて直角に折曲されていてその端部が他方の折曲面1bの上面に当接せしめられていて屋外構造物用の取付部材を取り付けるための取付用ボルト1eaが垂直に立設された取付面1eとから成る第１挟持材である。
【００１９】
また２は第１挟持材１の第一立ち上がり面1aより僅かに広幅の第二立ち上がり面2aと、この第二立ち上がり面2aから左右にそれぞれ内側に向けて直角に折曲されていて下方側縁が折板屋根板のハゼ部を挿入させるために切り欠かれている折曲面2b，2bと、各折曲面2b，2bの下端からそれぞれ外側に向けて直角に折曲されていて折板屋根板のハゼ部の立ち上がり部の下端に続く平面部上に載置される載置部2c，2cと、この載置部2c，2cの第二立ち上がり面2aと反対側の端縁から上方に向けて直角に折曲されていてハゼ部の立ち上がり部を挟持する挟持部2d，2dとから成る第２挟持材である。この第２挟持材２の折曲面2b，2bの上部には図示したように外側に向けて直角に折曲されたフランジ部が設けられていることが好ましい。
【００２０】
このような第１挟持材１と第２挟持材２において、第１挟持材１の各折曲面1b，1bの第一立ち上がり面1aと反対側の下端1baと、第２挟持材２の各折曲面2b，2bの第二立ち上がり面2aと反対側の下端2baとが、図３の如く、折板屋根板のハゼ部の立ち上がり部を挟持する位置に位置していると、折板屋根板のハゼ部の立ち上がり部をより強固に挟持できて好ましい。
【００２１】
３は第１挟持材１の折曲面1b，1bと第２挟持材２の折曲面2b，2bとを互いに向かい合わせにして第１挟持材１の左右の折曲面1b，1bの外側に第２挟持材２の左右の折曲面2b，2bを位置させた状態で、第１挟持材１を第２挟持材２に対して回転自由にするために、第２挟持材２の両折曲面2b，2bと第１挟持材１の両折曲面1b，1bとを貫通させた状態で設けられている回転用軸である。
【００２２】
この回転用軸３によって、第１挟持材１を第２挟持材２に対して回転できるようにすることで、第１挟持材１を第２挟持材２の加工精度に関係なく、簡単に第１挟持材１と第２挟持材２とを開いた状態にできるので、ハゼ部への取り付け・固定などの施工性を向上させることができるのである。
【００２３】
４は回転用軸３より下方側で且つ第１挟持材１の折曲面1b，1bが存在しない部位の第２挟持材２の折曲面2b，2b間に設けられており、後端部を第一立ち上がり面1aの長穴1aaから突出させてナット4a留めされるフックボルト又はアイボルト4bの先端部が回転自在に係合された係止用軸である。図３の如く、アイボルト4bの先端部は係止用軸４を介して第２挟持材２に係止されているので、第１挟持材１の長穴1aaから突出させた後端部をナット4a留めするだけで容易に第１挟持材１と第２挟持材２とをハゼ部に固定することができ、従来のように高い加工精度で２つの部材に孔を設け一本のねじを螺入して固定するような必要がなく、製造及び施工が容易にできる。
【００２４】
本発明に係る折板屋根板用取付金具を、実際に折板屋根板のハゼ部に取り付けるには、先ず図１の如く、回転用軸３を中心にして第１挟持材１又は第２挟持材２を回転させて第１挟持材１と第２挟持材２との下方側を開いた状態にする。その際にアイボルト4bに予めナット4aが螺着されていると、回転用軸３を中心にして第１挟持材１又は第２挟持材２を回転させるのにナット4aが邪魔になることがあるので、ナット4aは後からアイボルト4bに取り付けるか、又は図１の如くアイボルト4bの後端部の先端側に取り付けておくとよい。
【００２５】
次に、図１の態様では、第２挟持材２の挟持部2d，2dをハゼ部の立ち上がり部に当接させながら、折板屋根板のハゼ部の立ち上がり部の下端に続く平面部上に載置部2c，2cを載置させ、続けて図２の如く第１挟持材１についても、挟持部1d，1dをハゼ部の立ち上がり部に当接させながら、折板屋根板のハゼ部の立ち上がり部の下端に続く平面部上に載置部1c，1cを載置させて設置するのである。その際、第１挟持材１と第２挟持材２とはどちらから先に設置してもよい。
【００２６】
このように設置された本発明に係る折板屋根板用取付金具は、手で押さえ図２の如くアイボルト4bに取り付けられたナット4aを締め付けていけば、ハゼ部の立ち上がり部に容易に取り付け・固定することができ、また製造時においても高い加工精度を必要としないため、簡便に製造することができるのである。
【００２７】
また本発明に係る折板屋根板用取付金具の上方の取付面1eには、太陽電池モジュールや屋上緑化パネル等の屋外構造物を取り付けるための取付部材が更に装着される。例えば、レール状の取付部材であれば、図示していないが取付面1eに直接載置して、載置部材取付用ボルト1eaで固定したり、また太陽電池モジュール等が設置される枠体を挟持させるような取付部材を取付面1eに設置して載置部材取付用ボルト1eaで固定したりすればよい。
【符号の説明】
【００２８】
１  第１挟持材
1a  第一立ち上がり面
1aa  長穴
1b  折曲面
1ba  下端
1c  載置部
1d  挟持部
1e  取付面
1ea  載置部材取付用ボルト
２  第２挟持材
2a  第二立ち上がり面
2b  折曲面
2ba  下端
2c  載置部
2d  挟持部
３  回転用軸
４  係止用軸
4a  ナット
4b  アイボルト
【図１】
0005485822.tif 000002
【図２】
0005485822.tif 000003
【図３】
0005485822.tif 000004
【図４】
0005485822.tif 000005
【図５】
0005485822.tif 000006